【事件の表示】
　特許第２９９４５９９号「ナビゲーション装置」の特許に対する特許異議の申立てについて、次のとおり決定する。
【結　論】
　訂正を認める。
　特許第２９９４５９９号の特許請求の範囲（第１項）に記載された発明についての特許を維持する。
【理　由】
１．手続の経緯
　特許第２９９４５９９号に係る発明についての出願は、昭和６０年１２月２６日に特許出願した特願昭６０−２９５５２４号の一部を平成８年１２月２０日に新たな特許出願とし、平成１１年１０月２２日にその発明について特許の設定登録がなされた後、その特許について、特許異議申立人平山佐智子より特許異議の申立てがなされ、取消理由通知がなされ、その指定期間内である平成１２年１１月６日に訂正請求がなされたものである。
　
２．訂正の可否についての判断
（１）訂正の内容
　特許権者が求めている訂正の内容は、以下のとおりである。
ア．訂正事項ａ
　特許請求の範囲第１項の「複数の施設…選択メニューと、」、「前記選択メニューで選択された施設…施設地図表示手段と、」、「前記道路地図上に表示される前記施設」を、それぞれ「複数種の施設の中から特定の施設の種類を選択するための選択メニューと、」、「前記選択メニューで選択された前記種類に属する施設が存在する前記道路地図上の位置に、当該施設を示す目印を区別可能に表示する施設地図表示手段と、」、「前記道路地図上に表示されている前記施設」と訂正し、これに伴い、特許請求の範囲の記載と発明の詳細な説明の記載との整合をとるため、段落番号【0004】【0006】【0007】に同様の内容の訂正を行う。
イ．訂正事項ｂ
　段落番号【0008】の「道路地図上の位置に施設を表示するため」、「更に、道路地図上に表示される施設を示す目印と情報表示画面に表示される施設に関する情報とが同一の施設のものとして対応しているので、施設に関する情報と道路地図に表示されている施設との関係を容易に認識することができる。」を、それぞれ「道路地図上の位置に施設を示す目印を表示するため」、「更に、道路地図上に表示される施設を示す目印と情報表示画面に表示される施設に関する詳細情報とが同一の施設のものとして対応しているので、例えば複数の施設に関する詳細情報が表示される場合があったとしても道路地図上に目印が表示されている複数の施設との関係を容易に認識することができる。」と訂正する。そして、対応する【0028】にも同様の訂正を行う。
（２）訂正の目的の適否、新規事項の有無及び拡張・変更の存否
　上記訂正事項ａ、ｂは、いずれも明りょうでない記載の釈明に該当し、新規事項の追加に該当せず、実質的に特許請求の範囲を拡張又は変更するものではない。
（３）むすび
　したがって、上記訂正は、特許法第１２０条の４第２項及び同条第３項で準用する第１２６条第２項及び第３項の規定に適合するので、当該訂正を認める。
　
　
３．特許異議の申立てについての判断
（１）申立ての理由の概要
　特許異議申立人平山佐智子は、本件発明は、本件出願の日前の他の特許出願であって当該特許出願後に出願公開された甲第１号証（特願昭６０−３５７１０号）の願書に最初に添付した明細書又は図面に記載された発明と同一であり、当該特許出願の時に本件特許の出願人と甲第１号証の出願人とが同一の者でないから、特許法第２９条の２の規定により特許を受けることができないものである。
　また、本件発明は、本件出願前に日本国内で頒布された甲第２号証（特開昭６０−９１４９９号公報）及び甲第４号証（特開昭５９−１３２０９９号公報）に記載された発明に基いて、もしくは甲第５号証（実開昭５１−１２１４３５号公報）に記載された発明に基いて、当業者が容易になし得た発明であるから、特許法第２９条第２項の規定により特許を受けることができないものである。
　したがって、本件発明についての特許は、特許法第１１３条第１項第２号の規定により取り消されるべきものである旨主張している。
　また、特許請求の範囲第１項を引用する実施態様項である特許請求の範囲第２項、第３項についても、甲第６号証（特開昭５９−２０１１９９号公報）を提出し、それらに係る発明は、甲第５号証及び甲第６号証に記載された発明に基いて当業者であれば容易になし得るものである旨主張している。
　
（２）本件発明
　本件発明は、訂正明細書の特許請求の範囲第１項に記載されたとおりの次のものである。
「（Ａ）道路地図情報に基づいて現在地と共に道路地図を表示手段上に表示し、目的地に案内するナビゲーション装置において、
（Ｂ）複数種の施設の中から特定の施設の種類を選択するための選択メニューと、
（Ｃ）前記選択メニューで選択された前記種類に属する施設が存在する前記道路地図上の位置に、当該施設を示す目印を区別可能に表示する施設地図表示手段と、
（Ｄ）前記選択メニューで選択された前記施設に関する情報を情報表示画面上に表示する施設情報表示制御手段と、を備え、
（Ｅ）前記道路地図上に表示されている前記施設を示す前記目印と前記情報表示画面に表示される前記施設に関する情報とが同一の前記施設のものとして対応していること
を特徴とするナビゲーション装置。」
　なお、対比のために、（Ａ）〜（Ｅ）の標記を付した。
　
（３）甲各号証に記載された発明
　特許異議申立人が提示した甲第１号証（特願昭６０−３５７１０号（特開昭６１−１９４４７３号公報参照））には、「ＣＲＴ（陰極線管）ディスプレイ等の表示装置の画面に表示された地図上に車両の現在位置及び目的地を示すようにした車載用ナビゲーション装置」に関し、
（ア）「画像メモリＭ１に記憶されている地図情報及びレジャー施設選択キーを含む第５図に示す如き画像が表示装置１の画面に表示される。」（３頁右下欄８〜１０行）
（イ）「レジャー施設選択キーが押圧された場合は対応するレジャー施設が第６図に示す如く地図上に記号で表示される。」（３頁右下欄１３〜１５行）
（ウ）「次いで、再びステップＳ３７と同一のレジャー施設選択キーが押圧されると記号で表示された施設の詳細リストが外部記憶装置１０により得られて画像メモリＭ３に記憶される（第２図のステップＳ３８，Ｓ３９）。次いで、画像メモリＭ３に記憶されたリスト及びレジャー施設選択キーが第７図に示す如く表示される（第２図ステップＳ４０）。」（３頁右下欄１６行〜４頁左上欄３行）
（エ）第６図には、選択されたホテルを示す目印（温泉マーク）が地図上に表示されたものが図示されている。また、第７図には、レジャー施設の詳細なリストがディスプレイ上に表示されたものが図示されている。
　
　同じく特許異議申立人が提示した甲第２号証（特開昭６０−９１４９９号公報）は、「自動車等の移動体における現在位置，移動軌跡，進行方向などの移動状態を地図上に表示させる移動体の現在位置表示装置」に関し、以下のことが記載されている。
（オ）「地図情報を記憶した記録媒体から再生装置を介して地図の画情報を読み出して、検出された移動体の位置のデータと地図の画情報とにより表示装置の同一画面上に地図と移動位置に係る表示とを重ねて行なわせる」（特許請求の範囲）
（カ）「地図情報記憶媒体４にあって道路，鉄道などのパターン情報と、同一地域における地名，道路名および交差点名，鉄道路線名および駅名、神社や学校などの目標物のマークおよびその名称などからなる各種文字情報およびマーク情報とをそれぞれ別途に記憶させておき、操作装置７からの各種文字情報およびマーク情報の表示選択指令によって第３図（ａ）〜（ｄ）に示すように、道路，鉄道などのパターン上に地名表示（ａ），道路名および交差点名表示（ｂ）鉄道路線名および駅名表示（ｃ），目標物のマークおよびその名称表示（ｄ）を適宜選択的に行なわせることができる手段をとるようにしている。」（３頁右上欄９行〜同頁左下欄１行）
（キ）「第４図は操作装置７上における各種文字情報およびマーク情報を表示選択させるためのスイッチ手段の一構成例を示すもので、地名用，道路名および交差点名，鉄道路線名および駅名、目標物の各操作スイッチＳＷ１〜ＳＷ４がそれぞれ独立して設けられており、各種表示の選択を直接的に行なわせることができるようになっている。」（３頁左下欄２〜８行）
（ク）「キャラクタ情報記憶部Ｄ２には、そのプレーン０の部分に地名のキャラクタ情報が、プレーン１の部分には道路名及び交差点名のキャラクタ情報が、プレーン２の部分には鉄道路線名及び駅名のキャラクタ情報が、プレーン３の部分には目標物のマーク及び名称のキャラクタ情報がそれぞれ記憶されている。それら各プレーンには各キャラクタ情報が文字列またはマークごとにわかれて格納されており、各プレーンの先頭に文字列またはマークがいくつ格納されているかを示す補助データが入っている。またキャラクタ情報としては各文字およびマークのコード化されたデータからなっており、各文字列ごとにそれがいくつの文字からなっているかを示す文字数と、その文字列またはマークを表示画面上のどの位置に表示させるかを示す表示位置の補助データとが付されている。」（３頁右下欄５行〜４頁左上欄１行）
（ケ）「信号処理装置３にあっては、操作装置７から与えられる例えは地名の表示指令に応じて、そのとき表示されている地図パターンの同一地域におけるキャラクタ情報を記憶媒体再生装置５を介して地図情報記憶媒体４内のプレーン０部分から読み出し、その読み出された各文字のコードデータにしたがって内部に設けられたキャラクタジェネレータから文字のパターンデータを次々と発生させて補助データにより管理しながら所定の各文字列を作成したうえで、表示装置６の画面上に既に表示されている地図パターンに重ねて地名表示を行なわせることになる。またマークにあっても、そのコードに対応したパターンデータが予めキャラクタジェネレータ内に格納されており、それが読み出されて画面上の所定の位置に表示されることになる。」（４頁左上欄１０行〜同頁右上欄５行）
（コ）第３図（ｄ）には、神社や学校に対応するマークおよび「明治神宮」、「東郷神社」、「社会事業大学」、「室内競技場」なる名称が道路地図上に表示されている。
　
　同じく特許異議申立人が提示した甲第３号証（実願昭５７−４４１５５号（実開昭５８−１４９７６２号）のマイクロフィルム（昭和５８年１０月７日特許庁発行））は、「周囲に余白を残して特定地域の地図を表示した地図用紙を同一地域毎に所用枚数綴じると共に各地図に夫々異なる業種の該地区内に所在する企業名をその所在地に表示して成る業種別地図帳」に関し、以下のことが記載されている。
（サ）「該地図３には特定業種例えば劇場、映画館の名称がその所在地に目立つように斜めに表示されている。」（２頁１９行〜３頁１行）
（シ）「本考案を使用して所望の業種の企業を探し出すときには先ず該業種が掲載されている地図用紙２を選択する。」（３頁１９行〜４頁１行）
　
　同じく特許異議申立人が提示した甲第４号証（特開昭５９−１３２０９９号公報）は、「車両の現在位置を演算し、地図と共に現在位置マークをディスプレイに表示する車両用走行案内システム」に関し、以下のことが記載されている。
（ス）「操作部１は主要なキーとして第２図に図示する如く、ナビキー（リセットキー）１−１、機能キー１−２、選択キー１−３、現在地キー１−４、目的地キー１−５、カーソルキー１−６ないし１−９及びセットキー１−１０を有する。」（２頁左下欄１７行〜同頁右下欄１行）
（セ）「演算結果である現在位置座標データと地図データ記憶媒体４上の地図データとに基づいてサービス情報点（即ち、現在位置が属する行政区画及び現在位置付近の目印）を検索すると共に、その関連データ（即ち、当該行政区画の名称、当該目印の名称及び当該目印の位置）をディスプレイ６画面上に表示させるようにする。」（４頁左上欄７〜１４行）
　
　同じく特許異議申立人が提示した甲第５号証（実願昭５０−３９８６４号（実開昭５１−１２１４３５号）のマイクロフィルム（昭和５１年１０月１日特許庁発行））は、「希望する内容のコード番号にマークするマークカードを用いて所望の情報を検索し、かつスクリーン上に投影させるようにした情報検索装置」に関し、以下のことが記載されている。
（ソ）「上記マークカード３は第２図で示すように長方形状をなす厚紙によつて形成されていて、その表面８には先端側から第１画面９ａ、第２画面９ｂ、第３画面９ｃが設けられている。そして、これら各画面９ａ，９ｂ，９ｃ，の右側には大分類として目的、地方、宿泊、コースなどの項目に対応する項目マーク１０…が表示されており、さらにこの大分類をさらに細分類したものがそれぞれコード番号１１…で記入されている。」（４頁６〜１５行）
（タ）「上記スクリーン６に投影される画像１９にはあらかじめマイクロフィルムに記入することにより詳細コード２０…が番号によつて付されている。」（５頁１６〜１９行）
（チ）「上記本体１の操作盤５には上記詳細コード２０…と対応する番号を表示した複数の詳細情報検索キー２１…が配設されている。そして、これら詳細情報検索キー２１…は制御回路１６に接続されていて、詳細情報検索キー２１…をキーインした際、詳細情報の検索指令信号が検索機構１７に入力されるようになつている。したがつて、本体１内にマイクロフィルムなどによつて収められた詳細情報から検索指令信号にもとづいて希望した情報が検索されたのちスクリーン６上に画像が投影されるようになつている。」（５頁１９行〜６頁１０行）
（ツ）「まず最初に顧客は事前に台帳などで希望する内容のコード番号を調べマークカード３にマークしておく。」（６頁１２〜１４行）
（テ）「本体１内のマイクロフィルムなどによつて収められた多数の情報から検索指令信号にもとづいて希望した情報が検索されたのちスクリーン６上にその画像が投影される。」（７頁３〜６行）
　
　同じく特許異議申立人が提示した甲第６号証（特開昭５９−２０１１９９号公報）は、「車両の現在位置、道路地図及び走行時に必要な情報等を表示する走行案内装置」に関し、以下のことが記載されている。
（セ）「Cathode Ray Tube(CRT)から成る表示装置６の画面上に道路地図と道路地図上の正確な現在走行位置と道路網データ等を表示する。」（２頁左下欄１８行〜同頁右下欄１行）
（ソ）「情報選択スイッチ７は、その選択スイッチを任意に切り換えることにより、ＣＲＴ６１上に表示される情報を選択するものである。」（２頁右下欄４〜７行）
（タ）「表示された地図上にそれぞれのキーの情報であるパーキングの位置、高速道路、ガソリンスタンドの位置を選択的に表示する」（３頁左上欄１〜３行）
（チ）「ガソリンスタンド（ガスステーション、第２図においてキー７５）を指定した場合、ＲＡＭ５１８の情報Ｂ８が、第５（ｄ）図に示されるように表示される。」（４頁右下欄１６〜１９行）
（ツ）「ＣＲＴ６１の画面上にパネルスイッチ６１１を設け、これを情報選択スイッチ７として使用する」（５頁左下欄１０〜１２行）
（テ）第２図には情報選択スイッチの一例が、第５図には走行案内装置の動作を説明するための表示画面がそれぞれ示されている。そして、第５（ｄ）図には、道路地図上にガソリンスタンドを示す「Ｇ．Ｓ．」が複数箇所表示されている。
　
（３）対比・判断
　本件発明と甲第１号証〜甲第６号証に記載された発明とを対比すると、上記の各甲号証に記載された発明は、本件発明が要件とする（Ｅ）「前記道路地図上に表示されている前記施設を示す前記目印と前記情報表示画面に表示される前記施設に関する情報とが同一の前記施設のものとして対応している」ようにすることについて開示も示唆もしない。
　そして、本件発明は、上記要件を備えることにより、「更に、道路地図上に表示される施設を示す目印と情報表示画面に表示される施設に関する詳細情報とが同一の施設のものとして対応しているので、例えば複数の施設に関する詳細情報が表示される場合があったとしても道路地図上に目印が表示されている複数の施設との関係を容易に認識することができる。」という格別な作用効果を奏するものであるから、甲第１号証に記載された発明と同一であるとも、甲第２号証及び甲第４号証に記載された発明に基いて若しくは甲第５号証に記載された発明に基いて当業者が容易に発明をすることができたものともいうことはできない。
　また、特許請求の範囲第２項及び第３項は、特許請求の範囲第１項を引用する実施態様項であるから、それらに係る発明の対比・判断は、特許請求の範囲第１項に係る発明についてのものと同様である。
　
（４）特許異議申立人の主張
　特許異議申立人は、本件発明が要件とする（Ｅ）「前記道路地図上に表示されている前記施設を示す前記目印と前記情報表示画面に表示される前記施設に関する情報とが同一の前記施設のものとして対応している」ことについて、上記（３）（ウ）を根拠に、甲第１号証に記載された発明は、実際に画面に表示されている施設に関する情報を情報表示画面に表示するものであるから、甲第１号証には構成Ｅにおける道路地図上に表示される施設を示す目印と情報表示画面に表示される施設に関する情報とが同一の施設のものとして対応していることが記載されていると主張している。また、上記（３）（ク）及び（ケ）を根拠に、甲第２号証に記載された発明は、画面に表示されている地図パターン領域内に存在する目標物のマークおよび名称を表示するものであるから、自ずと画面に表示されているマークに関する名称を表示するものとなり、従って、地図上に表示される施設を示す目印と施設に関する情報とが同一の施設のものとして対応していることとなるから、甲第２号証に記載された発明には構成（Ｅ）について記載されていると主張している。さらに、甲第５号証に記載された発明は、実際にスクリーンに表示されている施設に関する詳細情報を情報表示画面に表示するものであるから、甲第５号証に記載された発明には構成（Ｅ）について記載されていると主張している。
　しかし、甲第１号証には、道路地図上に表示されている施設を示す目印と情報表示画面に表示される施設に関する情報とが同一の施設のものとして対応することは明記されておらず、その第６図の画面上に表示されているマークは１つの駅の近隣のホテルを示すものであるが、第７図の画面上に表示されている詳細情報は、川越市のホテル、八王子市のホテルに関するものであり、１つの駅の近隣のホテルでないことは明らかである。よって、甲第１号証の詳細情報は、道路地図上に表示されている施設を示す目印と情報表示画面に表示される施設に関する情報とが同一の施設のものとして対応しているということはできない。
　また、甲第２号証に記載されている発明は、単に同一画面上に道路地図で慣用されている各印及び名称を「目標物」という種類に属する個々の施設（特定の建造物等）に個別に対応して表示するものであり、「室内競技場」は名称しか表示されていないことからも明らかなように、道路地図上に表示されている施設を示す目印と情報表示画面に表示される施設に関する情報とが同一の施設のものとして対応させることについては記載も示唆もしない。
　さらに、甲第５号証に記載された発明は、上記（３）（タ）、（チ）及び甲第５号証第４図を見るに、詳細コード２０としての番号情報をスクリーン６に投影される画像に付すものであり、その番号情報は、単に詳細情報検索キー２１との対応関係を示すために付されるにすぎず、甲第５号証に記載された発明が、道路地図上に表示されている施設を示す目印と情報表示画面に表示される施設に関する情報とが同一の施設のものとして対応させることを開示あるいは示唆しているということもできない。
　よって、特許異議申立人の上記主張は、いずれも失当である。
　
（５）むすび
　以上のとおりであるから、特許異議申立ての理由及び証拠によっては本件発明についての特許を取り消すことはできない。
　また、他に本件発明についての特許を取り消すべき理由を発見しない。
　よって、結論のとおり決定する。
【異議決定日】
平成１２年１１月２９日（２０００．１１．２９）
【訂正の要旨】
　▲１▼訂正事項▲１▼
　特許請求の範囲の請求項１「複数の施設…選択メニューと、」を「複数
種
の種類
前記種類に属する
てい
　これらに伴い、段落番号【０００４】における「複数の施設…選択メニューと、」を、明りょうでない記載の釈明を目的として、「複数
種
の種類
前記種類に属する
てい
種
の種類
種類に属する
てい
　▲２▼訂正事項▲２▼
　段落番号【０００８】を、「よって、選択メニューで選択された施設が存在する道路地図上の位置に施設
を示す目印
詳細
例えば複数の
詳細
が表示される場合があったとしても
上
目印が
複数の
を示す目印
詳細
例えば複数の
詳細
が表示される場合があったとしても
上
目印が
複数の
（５４）【発明の名称】
ナビゲーション装置
（５７）【特許請求の範囲】
１．道路地図情報に基づいて現在地と共に道路地図を表示手段上に表示し、目的地に案内するナビゲーション装置において、
　複数
種
の種類
　前記選択メニューで選択された
前記種類に属する
　前記選択メニューで選択された前記施設に関する情報を情報表示画面上に表示する施設情報表示制御手段と、を備え、
　前記道路地図上に表示され
てい
２．請求項１に記載のナビゲーション装置において、前記施設に関する情報を記憶する情報記憶手段を備え、前記施設情報表示制御手段が、前記道路地図上に表示される前記目印と同一の前記施設に関する情報を前記情報記憶手段から選択して読み出し、前記情報表示画面上に表示することを特徴とするナビゲーション装置。
３．請求項１に記載のナビゲーション装置において、前記道路地図上の位置に当該道路地図に重畳して前記施設を示す前記目印を表示した状態においては、前記選択メニューが前記表示手段上から消去されていることを特徴とするナビゲーション装置。
【発明の詳細な説明】
　【０００１】
　【産業上の利用分野】本発明は地図に付随して施設に関する情報を表示装置に出力表示する情報表示装置に関する。
　【０００２】
　【従来の技術】
　最近のＣＤ−ＲＯＭ等に地図情報を記録しておき、その地図情報を読み出して、車両の現在地とともに表示装置に表示させ、車両を所定の目的地に誘導する車両ナビゲーション装置が研究、開発されている。斯かる従来の装置は、例えばホテル、駐車場、ガソリンスタンド、車のディーラー等の所定の施設がある場合、その名称などをその所在地の近傍に道路とともに表示装置に表示し、運転者の便宜に供するようにしている。
　【０００３】
　【発明が解決しようとする問題点】
　しかしながら従来のように全ての施設の名称等を道路とともに表示装置に常時表示すると、各施設の所在地を知ることができる反面、種々の施設が同時に表示されているので、地図そのものが見難くなる欠点があり、更に、所定の１つの施設、例えばガソリンスタンドを捜すとき、ガソリンスタンド以外の施設の表示も行われているため、それらの中からガソリンスタンドの表示を区別して捜し出すのに時間がかかる欠点があった。また、複数の施設の中から所望の施設を選択する際に、表示画面には個々の施設に関する特徴、内容等の詳細情報が表示されないため、施設を選択するに足る有効な情報を使用者に伝達できないという問題点もあった。
　【０００４】
　【問題点を解決するための手段】
　上記の課題を解決するため、本発明は、道路地図情報に基づいて現在地と共に道路地図を表示手段上に表示し、目的地に案内するナビゲーション装置において、複数
種
の種類
前記種類に属する
てい
　【０００５】
　また、本発明は、前記施設に関する情報を記憶する情報記憶手段を備え、前記施設情報表示制御手段が、前記道路地図上に表示される前記目印と同一の前記施設に関する情報を前記情報記憶手段から選択して読み出し、前記情報表示画面上に表示するように構成される。更に、本発明においては、前記道路地図上の位置に当該道路地図に重畳して前記施設を示す前記目印を表示した状態においては、前記選択メニューが前記表示手段上から消去されている。
　【０００６】
　本発明の作用によれば、施設地図表示手段は、複数
種
の種類
種類に属する
　【０００７】
　このとき、道路地図上、に表示され
てい
　【０００８】
　よって、選択メニューで選択された施設が存在する道路地図上の位置に施設
を示す目印
詳細
例えば複数の
詳細
が表示される場合があったとしても
上
目印が
複数の
　【０００９】
　【実施例】
　次に図面を参照して本発明の好適な実施例を説明する。
　【００１０】
　第１図において１は記録媒体あるいは記憶媒体としてのＣＤ−ＲＯＭ（そのドライブ装置を含む）でありディジタル化された地図情報が記録されている。ＣＤ−ＲＯＭ１からのデータはインターフェース２、アドレスバス３、データルバス４等を介してメモリ（ＲＡＭ）５に記憶されるようになっている。６はインフォメーションプロセッサ（ＣＰＵ）であり、種々の画像データ処理を行うとともに、キーボード１２、そのインターフェース１３を介して入力される指令に対応して周辺機器の制御も行うようになっている。７は地磁気等から車両の方位を検知する方位センサ、８は車両の速度を検出する速度センサである。９はＧＰＳ（Ｇｌｏｂａｌ　Ｐｏｓｉｔｉｏｎｉｎｇ　Ｓｙｓｔｅｍ）装置であり、緯度、経度情報等から車両の現在位置を検出する。１０はナビゲーションプロセッサ（Ｃ　ＰＵ）であり、方位センサ７、速度センサ８等のデータ補正や、それらのデータから車両の移動量を演算したり、またＧＰＳ装置９が緯度、経度惜報を検出できない場合等に、設定入力されたデータから現在位置を演算する。あるいはまた設定入力された現在地をＧＰＳ装置９からの情報に対応して補正処理する。プロセッサ１０とプロセッサ６とは相互にデータの送受が可能になっている。１１はこれらのプロセッサ６、１０のブログラムその他必要な情報を記憶するＲＯＭ、１４は各回路、手段、装置等に必要なタイミング信号を供給するコントロールロジックである。
　【００１１】
　１５はグラフィックディスプレイコントローラ（ＧＤＣ）であり、メモリ５から必要なデータを読出し、メモリ（ＶＲＡＭ）１６、１７に所定の画像を描画する。１８はメモリ１６、１７のうち一方からのデータを選択し、パラレル信号からシリアル信号に変換するパラレル／シリアル（Ｐ／Ｓ）変換回路である。１９は色変換回路としてのカラーパレットレジスタであり、Ｐ／Ｓ変換回路１８から供給される映像信号中の３ビットの色信号を、予め指定された５ビットの色信号に変換する。色信号が変換された映像信号はメモリ（ＶＲＡＭ）２０に、さらにメモリ２０からメモリ（ＶＲＡＭ）２１に転送され、メモリ２１に記憶された映像信号が赤（Ｒ）、緑（Ｇ）、青（Ｂ）の３原色各々のＤ／Ａ変換回路２６、２７、２８によりディジタル信号からアナログ信号に変換され、ＣＲＴ等の表示装置２９に表示される。尚図示はしていないが表示装置２９の画面の前面には透明電極等よりからなるタッチセンサが設けられている。
　【００１２】
　２４は同期信号発生回路であり、相互に同期した水平同期信号（ＨＳＹＮＣ）と、垂直同期信号（ＶＳＹＮＣ）と、ドットクロック（ＤＣＫ）を発生し、レジスタ１９、メモリ２０、２１のアドレス等を設定するアドレスカウンタ２３、２５等に出力している。２２はオフセットレジスタであり、メモリ１６、１７に記憶された画像のうちメモリ２０に転送する部分のオフセット位置を設定する。３０乃至３７は各々所定位置に挿入されたバッファである。
　【００１３】
　一方第２図はキーボード１２の構成を示している。同図に示すごとく、各操作キーは表示装置２９の外周に配置されている。５１はナビゲーション動作を実行するとき操作されるナビゲーション（ＮＡＶＩ）キー、５３は表示装置２９に操作の説明画像を出力するとき操作されるヘルプ（！）キーである。５３はガイド（ＧＵＩＤＥ）キーであり、駐車場、ホテル、ガソリンスタンド等のシンボルを地図上に表示するとき操作される。５４は目的地（ＤＥＳＴ）キーであり、目的地を設定するとき操作される。５５はセット（ＳＥＴ）キーであり、表示装置２９に表示されたカーソルにより指定された項目や、地図上の位置を登録するときに操作される。５６はキャンセル（ＣＡＮＣＥＬ）キーであり、限られた所定の画面において操作すると、画面が１つ前の画面に戻るようになっている。５７は縮小キー、５８は拡大キーであり、各々表示装置２９に表示された地図を縮小又は拡大するとき操作される。５９はスクロールキーであり、上下、左右にカーソルを移動させるとき各々キー５９ａ乃至５９ｄ操作される。６０はテキスト（ＴＥＸＴ）キーであり、車両の走行に関係する情報を表示するとき操作される。以上の各キーが操作された場合におけるプログラムはプロセッサ６により管理されている。
　【００１４】
　一方コンパクトディスクプレーヤーを動作させるとき操作されるＣＤキー６１、テレビジョン放送を受信するとき操作されるＴＶキー６２、ＡＭ又はＦＭ放送を受信するとき操作されるＡＭ、ＦＭキー６３、再生音のイコライズ特性を予め定められた特性の中から選択するとき操作されるサウンドセレクト（ＳＯＵＮＤＳＥＬ）キー６４、再生音を瞬時にミューティングするミューティングキー６５、再生音の大きさを調整するボリウム６６、空調装置を運転するとき操作される空調（Ａ／Ｃ）キー６７が設けられ、図示せぬＣＰＵによって所定の動作が実行されるようになっている。
【００１５】
　次に動作を説明する。先ず最初にナビゲーションキー５１が操作された場合における基本的動作について説明する。方位センサ７、速度センサ８、ＧＰＳ装置９等の情報からプロセッサ１０は車両の現在地を演算し、検出する。この情報に対応してプロセッサ６はＣＤ−ＲＯＭ１から現在地を含む地図を読出し、メモリ５に記憶させる。ＣＤ−ＲＯＭ１には複数の縮尺の地図が記録されており、メモリ５には現在地を含む各縮尺の地図が記憶される。プロセッサ６はコントローラ１５を制御し、メモリ５に記憶された地図のうち所定の縮尺のデータをメモリ１６又は１７に書き込ませる。メモリ１６、１７は一方が表側（データがメモリ２０に転送されている方）、他方が裏側（データがメモリ２０に転送されておらず、コントローラ１５により新たなデータが書き込まれる方）とされている。表側と裏側は交互に切り換えられ、コントローラ１５による書き込みは常にメモリ２０にデータを送出していない裏側に行われる。
　【００１６】
　プロセッサ６はさらにコントローラ１５を制御し、プロセッサ１０からの現在地信号に対応してメモリ１６、１７の表側に自車マークを描画させる。
　【００１７】
　コントローラ１５によりメモリ１６、１７に描画された地図は、自車マークを中心とする所定の範囲内のデータが、パラレル／シリアル変換回路１８によりパラレルデータからシリアルデータに変換され、さらにその色信号がカラーパレットレジスタ１９により高階調度の色信号に変換されてメモリ２０に転送される。メモリ１６、１７に描画された地図のうちどの部分が転送されるかはオフセットレジスタ２２とアドレスカウンタ２３を介してプロセッサ６により指定される。
　【００１８】
　プロセッサ６はまたＣＤ−ＲＯＭ１に記録されている例えば交差点等の写真を画像として直接メモリ２０に描画できるようになっている。このようにメモリ２０に書き込まれた画像はさらにメモリ２１に転送され、最終的にメモリ２１に記憶された画像がＤ／Ａ変換回路２６、２７、２８を介して表示装置２９に出力表示される。
　【００１９】
　次にガイドキー５３を操作した場合の作用を説明する。ガイドキー５３が操作されたとき、プロセッサ６は例えば第４図に示すように、地図に重畳して、ガイドメニューを表示装置２９の所定位置（図においては上下辺の近傍）に表示させる。いまＣＤ−ＲＯＭ１に、地図情報として、道路、鉄道、海岸線等を表示する線分データだけでなく、ホテル、ガソリンスタンド、車のディーラ、駐車場の各施設のシンボルを表示するシンボルデータも記録されているものとすると、これらのシンボルが必要に応じてその意味するところの文字とともに所定位置に表示される。
　【００２０】
　表示装置２９の前面にはタッチセンサが配置してあり、各施設の表示位置を指等で触れるとそれが検知される。従ってホテル、駐車場、ガソリンスタンド、ディーラのいずれが選択されたかが判断され、いずれかの施設が選択されたとき、ガイドメニューが消去されるとともに、地図に重畳して選択された施設のシンボルがその所在地に表示される。例えばホテルが選択されたとき第５図に示すように、ホテルのシンボルが地図上の所在地に対応して表示される。このシンボルはガイドメニュー表示時に表示されたシンボルと同一である。従って操作者はガイドメニュー表示における文字を見なくとも、シンボルを見るだけで、殆ど直感的に所望の施設を選択することができる。またこのとき選択されない施設は表示されないから、シンボルを捜すこと自体は極めて容易となる。逆にガイドキー５３を操作しない場合は、これらのシンボルが表示されていない通常の地図だけの表示となるから、地図が見難くなるようなこともない。
　【００２１】
　同種の施設を表すシンボルの各々には相互に区別でき、かつ連続的に関連する比較的簡易な数字（番号）、文字、記号等が付されている。すなわち例えば各ホテルのシンボルには１、２、３等の番号、Ａ、Ｂ、Ｃ等の文字、その他の記号である付記的マークが対応されており、シンボルが地図に重畳して表示されるとき、この番号等の付記的マークも併せて表示される。シンボルは対応する施設の所在地に表示されるので、表示装置２９の画面上に表示されている現在地を中心とする地図の外に位置する施設のシンボルとその番号は、その位置が画面の範囲内になるまで表示されない。第５図の実施例においては２番の番号が付されたホテルがいま表示されている地図の外に位置しているので表示されていない。これらの番号は各ホテル毎に対応しており、少なくとも所定の地域内において異なるホテルに同一の番号が付されることはない。従って使用者はこの番号により所望のホテルを特定することができる。勿論以上のことは他のシンボルについても同様である。
　【００２２】
　シンボルに文字などを付する場合、例えばそれをその施設の名称をすることも可能である。しかしながら名称は地図を見難くするので、本発明における簡易な文字ではない。
　【００２３】
　第５図に示すように、選択されたシンボルが地図に重畳して表示されるとき、表示装置２９の所定位置（実施例においては右下辺の近傍）には、選択されたシンボルにより表される施設のより詳細な情報を表示させるための操作スイッチが表示（実施例においてはリストの文字が表示）される。このリストの文字が表示されている部分を指等で触れると、タッチセンサによりそれが検知され、第６図に示すように、表示装置２９の画面から地図が消去され、その代りにそのとき地図上に表示されていたホテルに関するより詳細な情報がリストになって表示される。より詳細な情報とは、例えばホテルの名称、電話番号、住所、特徴等である。従って操作者は第５図に示す表示状態において所望のホテルをその番号で特定し、さらに第６図に示す表示に切り換え、対応する番号が付されたところの情報を見ることにより、その施設のより詳細な情報を知ることができる。このとき地図上に表示されていない施設の情報は表示されないので所望の施設の情報がより見易くなる。また番号等のように連続的な関連性を有するものを用いることにより、リストの中から所望の施設を捜し出すことがさらに容易となる。
　【００２４】
　以上の動作をプロセッサ６が実行するためのフローチャートは例えば第３図に示すようになる。先ず画面上に地図が表示された状態で、シンボルの表示が指示されるまで待機する。シンボルの表示が指示されるとシンボルの位置データ（座標）が読み取られ、表示画面（地図）の範囲内か否かが判断される。表示中の地図の範囲内に位置するときはそのシンボルを地図に重畳して表示させる。またそのシンボルの番号をメモリ５の所定のスタックに書き込む。表示中の地図の範囲外に位置するシンボルは表示されず、またその番号はスタックに書き込まれない。斯かるステップが全ての施設（シンボル）について行われた後、リスト表示の指示がなされるまで待機し、リスト表示の指示が入力されたとき、予めスタックに格納したシンボルの番号が読み取られ、その番号が対応するデータが表示される。第７図は斯かる施設のシンボルデータをＣＤ−ＲＯＭ１に記録する場合における、位置データの構成例を示している。すなわちヘッダとして同種のシンボル内における番号と、ホテル、ディーラ、ガソリンスタンド、駐車場等のシンボル間の区別をする属性が配置され、その後にそのシンボルが表示される位置の座標（ｘ、ｙ）が配置されている。
　【００２５】
　第８図は各施設のより詳細な情報のデータブロックの構成例を示している。すなわち各シンボルの番号に続いて、その施設の名称、電話番号、住所、特徴等のデータが配置されている。
　【００２６】
　第９図はスタックの構成例を示している。すなわち地図に重畳して表示中のシンボルの個数が最初に配置され、その後にそのシンボルの番号が配置されている。例えば第５図に示す実施例の場合、表示されているシンボルの数は３個、そのシンボルの番号は１、３、４であるから、スタックのデータは第１０図に示すようになる。
　【００２７】
　【００２８】
　　【効果】
　以上説明したように、本発明によれば、選択メニューで選択された施設が存在する道路地図上の位置に施設
を示す目印
詳細
例えば複数の
詳細
が表示される場合があったとしても
上
目印が
複数の
　【００２９】
【図面の簡単な説明】
　　【図１】
　本発明の情報表示装置を車両ナビゲーション装置に応用した場合のブロック図である。
　　【図２】
　本発明の情報表示装置を車両ナビゲーション装置に応用した場合の表示装置とキーボードの平面図である。
　　【図３】
　本発明の情報表示装置を車両ナビゲーション装置に応用した場合の動作を示すフローチャートである。
　　【図４】
　本発明の情報表示装置を車両ナビゲーション装置に応用した場合の表示画面の平面図（Ｉ）である。
　　【図５】
　本発明の情報表示装置を車両ナビゲーション装置に応用した場合の表示画面の平面図（ＩＩ）である。
　　【図６】
　本発明の情報表示装置を車両ナビゲーション装置に応用した場合の表示画面の平面図（ＩＩＩ）である。
　　【図７】
　本発明の情報表示装置を車両ナビゲーション装置に応用した場合のデータの構成の説明図（Ｉ）である。
　　【図８】
　本発明の情報表示装置を車両ナビゲーション装置に応用した場合のデータの構成の説明図（ＩＩＩ）である。
　　【図９】
　本発明の情報表示装置を車両ナビゲーション装置に応用した場合のデータの構成の説明図（ＩＩＩ）である。
　　【図１０】
　本発明の情報表示装置を車両ナビゲーション装置に応用した場合のデータの構成の説明図（ＩＶ）である。
　【符号の説明】
　１…ＣＤ−ＲＯＭ
　２、１３…インターフェース
　５、１６、１７、２０、２１…メモリ
　６…インフォメーションプロセッサ
　７…方位センサ
　８…速度センサ
　９…ＧＰＳ装置
　１０…ナビゲーションプロセッサ
　１１…ＲＯＭ
　１２…キーボード
　１５…グラフィックディスプレイコントローラ
　１８…パラレル／シリアル変換回路
　１９…カラーパレットレジスタ
　２２…オフセットレジスタ
　２３、２５……アドレスカウンタ
　２４…同期信号発生回路
　２６、２７、２８……Ｄ／Ａ変換回路
　２９…表示装置